(57)【要約】【課題】業務を管理するシステム管理者が、端末装置を操作する実務担当者の設定変更操作を制限したり、用途を限定したりすることが困難であるという課題を解決することを目的とする。【解決手段】管理者パスワード記憶部１３と、ユーザーパスワード記憶部１４と、操作環境を制御するための情報を格納する操作環境情報記憶部１５と、パスワードを照合する認証部１６と、認証結果に応じて操作環境を構築する操作環境構築部１７と、管理者が操作環境の設定を行う操作環境設定部１８を備えることにより、管理者が一般ユーザーの操作を規定し、一般ユーザーが起動した場合には、あらかじめ管理者により規定された操作のみ実行可能な操作環境が提供されるようにする。【選択図】図１
2007194989.tif 000002
【特許請求の範囲】
【請求項１】
情報の入力や操作を指示する操作部と、
情報を表示する表示部と、
ネットワークに接続して通信を行う通信部と電源ＯＮ・ＯＦＦを制御する電源部と、
前記操作部からの入力を受付け、動作を制御する制御部と、管理者のパスワードを格納する管理者パスワード記憶部と、
一般ユーザーのパスワードを記憶するユーザーパスワード記憶部と、
管理者および一般ユーザーの操作環境を制御するための情報を格納する操作環境情報記憶部と、
前記電源部から電源ＯＮを指示されたときにパスワード入力を促し、前記管理者パスワード記憶部および前記ユーザーパスワード記憶部に記憶されたパスワードと入力されたパスワードを照合する認証部と、
前記認証部での認証結果に応じて前記操作環境情報記憶部に記憶された情報を読み込み、管理者パスワードによる起動の場合は管理者の、ユーザーパスワードによる起動の場合は一般ユーザーの操作環境を構築する操作環境構築部と、
管理者パスワードによる起動の場合に、前記操作環境情報記憶部への操作環境の設定機能を提供する操作環境設定部と、
を備えたことを特徴とする情報端末装置。
【請求項２】
前記操作環境情報記憶部にユーザーパスワードの入力をスキップする設定がなされている場合に、前記認証部がパスワード入力を促すことなく、前記操作環境構築部が自動的に一般ユーザーの操作環境を構築することを特徴とする請求項１記載の情報端末装置。
【請求項３】
前記操作環境情報記憶部が、電源ＯＮ時に自動起動するプログラムの指定情報を含み、前記操作環境構築部が、電源ＯＮ時に指定されたプログラムを自動起動する機能を有する請求項１または請求項２記載の情報端末装置。
【請求項４】
電源ＯＮ時に前記操作環境構築部が自動起動するプログラムが、前記通信部を用いてサーバーコンピュータに自動接続することを特徴とする請求項３記載の情報端末装置。
【発明の詳細な説明】
【技術分野】
【０００１】
本発明はディスプレイ装置とタッチパネルなどの入力装置を備え、情報の管理やネットワーク接続による情報収集・遠隔操作などのできる携帯端末装置に関するものである。
【背景技術】
【０００２】
近年、携帯端末装置は、企業において、作業者個々の業務を遂行する上で広く活用されている。携帯端末装置は、セキュリティ保護のため、起動時のパスワード認証機能を備えている。
【０００３】
以下に従来の携帯端末装置について説明する。
【０００４】
図３は、従来の携帯端末装置の機能ブロック図である。
【０００５】
図３において、１は情報の入力や操作を指示する操作部、２は情報を表示する表示部、３はネットワークに接続して通信を行う通信部、４は電源ＯＮ・ＯＦＦを制御する電源部、５は操作部１からの入力を受付け、動作を制御する制御部、６は起動時のパスワードを格納するパスワード記憶部、７は電源部４から電源ＯＮを指示されたときにパスワード入力を促し、パスワード記憶部６に記憶されたパスワードと入力されたパスワードを照合する認証部である。
【０００６】
以上のように構成された従来の携帯端末装置について、以下その動作を説明する。
【０００７】
まず、電源部４から電源が投入されると、制御部５は、パスワード設定の有無を確認し、設定がある場合は認証部７を用いて、パスワード入力を促し、入力されたパスワードと、パスワード記憶部６に記憶されたパスワードを照合する。パスワードの認証に成功した場合はシステムを起動し、以降、操作部１からの操作に応じて、表示部２、通信部３を用いながら動作を行う。
【特許文献１】特開２００５−１１７２８０号公報
【発明の開示】
【発明が解決しようとする課題】
【０００８】
しかしながら上記の従来の構成は、１個人での使用を前提としており、端末装置を操作する実務担当者と、業務を管理するシステム管理者からなる企業での運用において、個々の端末の設定変更を制限したり、用途を限定したりすることが困難であった。
【０００９】
特許文献１においては、携帯電話機を対象として、管理者が一般ユーザーの操作を制限する方法が記載されているが、操作の個別のロック機能と、通信使用時間、使用量の制限を、特定のパスワード入力時にのみ有効化／解除または変更させるもので、セキュリティ保護のために起動時のパスワード認証を前提とし、起動時点でユーザー権限を切り替える本発明とは、用途および実現方法が異なる。
【００１０】
本発明は上記従来の問題点を解決するもので、１台の携帯端末に対して、管理者と一般ユーザーの２種類の使用者を想定し、管理者が、一般ユーザー起動時の使用方法を規定することのできる携帯端末装置を提供することを目的とする。
【課題を解決するための手段】
【００１１】
本発明の請求項１に記載の発明は、情報の入力や操作を指示する操作部と、情報を表示する表示部と、ネットワークに接続して通信を行う通信部と電源ＯＮ・ＯＦＦを制御する電源部と、前記操作部からの入力を受付け、動作を制御する制御部と、管理者のパスワードを格納する管理者パスワード記憶部と、一般ユーザーのパスワードを記憶するユーザーパスワード記憶部と、管理者および一般ユーザーの操作環境を制御するための情報を格納する操作環境情報記憶部と、前記電源部から電源ＯＮを指示されたときにパスワード入力を促し、前記管理者パスワード記憶部および前記ユーザーパスワード記憶部に記憶されたパスワードと入力されたパスワードを照合する認証部と、前記認証部での認証結果に応じて前記操作環境情報記憶部に記憶された情報を読み込み、管理者パスワードによる起動の場合は管理者の、ユーザーパスワードによる起動の場合は一般ユーザーの操作環境を構築する操作環境構築部と、管理者パスワードによる起動の場合に、前記操作環境情報記憶部への操作環境の設定機能を提供する操作環境設定部と、を備えたことを特徴とする情報端末装置としたものであり、一般ユーザーがパスワードを使って起動した場合には、あらかじめ管理者により規定された操作のみ実行可能な操作環境が提供されるという作用を有する。
【００１２】
請求項２に記載の発明は、前記操作環境情報記憶部にユーザーパスワードの入力をスキップする設定がなされている場合に、前記認証部がパスワード入力を促すことなく、前記操作環境構築部が自動的に一般ユーザーの操作環境を構築することを特徴とする請求項１記載の情報端末装置としたものであり、一般ユーザー環境での起動を容易にするという作用を有する。
【００１３】
請求項３に記載の発明は、前記操作環境情報記憶部が、電源ＯＮ時に自動起動するプログラムの指定情報を含み、前記操作環境構築部が、電源ＯＮ時に指定されたプログラムを自動起動する機能を有する請求項１または請求項２記載の情報端末装置としたものであり、管理者が、一般ユーザーの操作を、特定プログラムの実行に限定することができるという作用を有する。
【００１４】
請求項４に記載の発明は、電源ＯＮ時に前記操作環境構築部が自動起動するプログラムが、前記通信部を用いてサーバーコンピュータに自動接続することを特徴とする請求項３記載の情報端末装置としたものであり、管理者が、一般ユーザーの操作を、特定サーバーとの接続による通信プログラムの実行に限定することができるという作用を有する。
【発明の効果】
【００１５】
以上のように本発明は、携帯端末装置を操作する一般ユーザーと、管理者とからなるシステム運用において、管理者が容易かつ確実に一般ユーザーの操作を規定することができ、一般ユーザーの不用意な操作によるトラブルの発生を防ぐことともに、管理者の適切な導入設定により、一般ユーザーの操作手順を軽減することができるという優れた効果が得られる。
【発明を実施するための最良の形態】
【００１６】
以下、本発明の実施の形態について、図１から図２を用いて説明する。
【００１７】
（実施の形態１）
図１は本発明の携帯端末装置の機能ブロック図である。
【００１８】
図１において、８は情報の入力や操作を指示する操作部、９は情報を表示する表示部、１０はネットワークに接続して通信を行う通信部、１１は電源ＯＮ・ＯＦＦを制御する電源部、１２は操作部からの入力を受付け、動作を制御する制御部、１３は管理者のパスワードを格納する管理者パスワード記憶部、１４は一般ユーザーのパスワードを記憶するユーザーパスワード記憶部、１５は管理者および一般ユーザーの操作環境を制御するための情報を格納する操作環境情報記憶部、１６は電源部１１から電源ＯＮを指示されたときにパスワード入力を促し、管理者パスワード記憶部１３およびユーザーパスワード記憶部１４に記憶されたパスワードと入力されたパスワードを照合する認証部、１７は認証部１６での認証結果に応じて操作環境情報記憶部１５に記憶された情報を読み込み、管理者パスワードによる起動の場合は管理者の、ユーザーパスワードによる起動の場合は一般ユーザーの操作環境を構築する操作環境構築部、１８は管理者パスワードによる起動の場合に、操作環境情報記憶部１５への操作環境の設定機能を提供する操作環境設定部である。
【００１９】
図２は本発明の形態端末装置の操作環境情報記憶部１５に記憶されるユーザー操作を規定するデータの例を示す説明図である。
【００２０】
図２において、１９は制御する項目の例、２０は各項目毎の設定内容の例である。
【００２１】
以上のように構成された携帯端末装置について、図１、図２を用いてその動作を説明する。
【００２２】
まず、電源部１１を用いて電源ＯＮ操作がなされると、制御部１２は、認証部１６を用いて認証処理を実施する。認証部１６は、操作環境情報記憶部１５に記憶されているパスワードスキップ設定内容を確認し、スキップしない設定の場合は、表示部９にパスワード入力を促すダイアログを表示する。このダイアログに対して、使用者が操作部８を用いてパスワードを入力する。認証部１６は、入力されたパスワードと、管理者パスワード記憶部１３に記憶されているパスワード、ユーザーパスワード記憶部１４に記憶されているパスワードを照合し、入力されたパスワードが管理者のものか、一般ユーザーのものかを判定する。入力されたパスワードがどちらにも合致しない場合は、使用者に対してパスワードエラーを提示し、再入力を求める。使用者が３度続けてパスワード入力に失敗した場合は、セキュリティ保護のため電源をＯＦＦにする。
【００２３】
認証部１６によるパスワード認証が完了すると、制御部１２は、操作環境構築部１７を用いて、管理者または一般ユーザーの操作環境を構築し、操作環境に対応したデスクトップ画面を、表示部９を用いて使用者に提示する。デスクトップには、本実施の形態における携帯端末装置の提供する各種機能がアイコンとして表示されており、使用者は、操作部８から、このアイコンを操作することにより、各種機能を実行させることができる。管理者の操作環境では、すべての機能が実行可能で、デスクトップには、システムの各種設定を行うコントロールパネルを初め、使用可能なすべての機能アイコンが表示される。
【００２４】
一方、一般ユーザーの操作環境では、管理者により、使用できる機能および使用方法が規定されるので、規定内容に応じて、デスクトップおよびそこから起動されるコントロールパネル内に表示されるアイコンは制限されたものとなる。
【００２５】
管理者は、操作環境設定部１８を用いて、図２に示すような、ユーザー操作規定を行うことができる。
【００２６】
管理者は、操作環境設定部１８を用いて、まず管理者自身のパスワードおよび、一般ユーザの初期パスワードを設定する。設定したパスワードは、各々、管理者パスワード記憶部１３、ユーザーパスワード記憶部１４に保存される。一般ユーザーのパスワードは、管理者が許可した場合に限りユーザー自身により変更可能となる。パスワード設定後、管理者は、使用可能な各種プログラム、設定機能について、一般ユーザーの使用を許可するか否かを指定する。
【００２７】
また、管理者は、操作環境設定部１８を用いて、管理者の操作環境、一般ユーザーの操作環境各々に対して、電源ＯＮ起動時に、自動的に起動するプログラムを指定することができる。この設定についても、一般ユーザーは、管理者が許可した場合に限り変更可能となる。
【００２８】
また、管理者は、電源ＯＮ起動時にパスワード入力を促すダイアログを表示しないよう設定することができる。この場合、操作環境は自動的に一般ユーザーの操作環境となる。パスワード入力を促すダイアログを表示しない設定の場合でも、電源ＯＮ時に、電源ボタンと付属の機能ボタンを同時に押しておくことにより、この設定を無効にしてパスワードダイアログを表示させることができる。
【００２９】
操作環境設定部１８により管理者が設定した情報は、操作環境情報記憶部１５に保存され、起動時に操作環境構築部１７により参照される。
【００３０】
以上のように本実施の形態によれば、管理者がユーザ操作を規定する手段と、起動時のパスワードにより操作環境を切り替える手段を設けることにより、管理者が、一般ユーザーの使用形態、使用方法を容易にコントロールすることができる。
【００３１】
また、パスワード入力をスキップする手段を設けることにより、一般ユーザーに、操作環境の切り替えを意識させることなく、携帯端末装置を使用させることができる。
【００３２】
さらに、電源ＯＮ時に自動起動するプログラムを設定する手段を提供することにより、管理者が、一般ユーザーの操作範囲を特定のプログラムの実行に限定することができる。この自動実行させるプログラムとして、通信部１０を介してサーバーに接続し、遠隔操作するためのプログラム、例えばリモートデスクトップ接続プログラムを指定しておき、前述のパスワードスキップ機能と組み合わせれば、管理者は、電源ＯＮするだけで、リモートデスクトップ接続によるサーバーの遠隔操作だけを安全に実行できるよう、一般ユーザーを導くことができる。
【００３３】
なお、以上の説明では、パスワード入力を促すダイアログを表示しない設定の場合でも管理者パスワードによる起動を可能にするためにパスワードダイアログを表示させる手段を、他の機能ボタンとの同時押しとしたが、電源ボタンの長押しなど、通常の電源ＯＮ操作と区別できるその他の操作としてもよい。また、一般ユーザーのパスワード変更により、管理者パスワードとユーザーパスワードが偶然一致した場合に、一般ユーザーが誤って管理者操作環境を起動してしまうことがないよう、電源ＯＮ起動時の操作を、管理者パスワードを受け付ける操作とユーザーパスワードのみを受け付ける操作とに分けてもよい。
【００３４】
また、以上の説明では、起動時に、管理者の操作環境と一般ユーザーの操作環境を切り替えてているが、認証結果を操作環境情報記憶部１５に保存しておき、起動後に、実行されるプログラム内でこの情報を参照して、管理者の操作環境と一般ユーザーの操作環境での動作を切り替えることもできる。
【００３５】
また、本発明における携帯端末装置は、手のひらサイズの小型の端末のみならず、ドッキングステーションに接続してデスクトップで使用する形態も可能な、１０インチから１４インチ程度の表示装置を持つ中型の端末装置も含むことはいうまでもない。
【産業上の利用可能性】
【００３６】
本発明にかかる携帯端末装置は、管理者が一般ユーザーの操作を適切に導くことができ、不用意な操作によるトラブルの発生を防ぐとともに、一般ユーザーの操作手順を軽減することができるという優れた効果を有し、情報の管理やネットワーク接続による情報収集・遠隔操作などのできる携帯端末装置を用いたシステム運用において有用である。
【図面の簡単な説明】
【００３７】
【図１】本発明の実施の形態１における携帯端末装置の機能ブロック図
【図２】同実施の形態１における携帯端末装置の動作説明のための説明図
【図３】従来の携帯端末装置の機能ブロック図
【符号の説明】
【００３８】
８  操作部
９  表示部
１０  通信部
１１  電源部
１２  制御部
１３  管理者パスワード記憶部
１４  ユーザーパスワード記憶部
１５  操作環境情報記憶部
１６  認証部
１７  操作環境構築部
１８  操作環境設定部
１９  制御項目例
２０  制御内容
１  操作部
２  表示部
３  通信部
４  電源部
５  制御部
６  パスワード記憶部
７  認証部
【図１】
2007194989.tif 000003
【図２】
2007194989.tif 000004
【図３】
2007194989.tif 000005